(57)【要約】【課題】部品点数を増大させることなく簡単な操作で回路基板の抜けを防止する。【解決手段】回路基板抜け防止構造１は、筐体１０と、筐体１０に挿抜可能に組付けられる回路基板１１と、回路基板１１に対して回動可能に軸支され、筐体１０に引掛けられて回路基板１１の挿抜操作を容易にする挿抜用レバー１２と、回路基板１１の挿入後に挿抜用レバー１２と回路基板１１との間で回路基板１１の挿抜方向とは異なる方向で引掛かる凹凸部１３と、を備える。【選択図】図１
2020155741.tif 000002
【特許請求の範囲】
【請求項１】
筐体と、
前記筐体に挿抜可能に組付けられる回路基板と、
前記回路基板に対して回動可能に軸支され、前記筐体に引掛けられて前記回路基板の挿抜操作を容易にする挿抜用レバーと、
前記回路基板の挿入後に前記挿抜用レバーと前記回路基板との間で前記回路基板の挿抜方向とは異なる方向で引掛かる凹凸部と、
を備えることを特徴とする回路基板抜け防止構造。
【請求項２】
前記凹凸部は前記挿抜用レバー及び前記回路基板のインタフェースプレートに形成されている、請求項１に記載の回路基板抜け防止構造。
【請求項３】
前記回路基板は使用状態において前記挿抜方向が鉛直方向となるように配置される、請求項１又は２に記載の回路基板抜け防止構造。
【請求項４】
請求項１から３のいずれか一項に記載の回路基板抜け防止構造を備えた数値制御装置。
【発明の詳細な説明】
【技術分野】
【０００１】
本発明は、回路基板挿抜技術に関し、特に回路基板抜け防止構造及び数値制御装置に関する。
【背景技術】
【０００２】
筐体に対する回路基板の挿抜を容易に行うため、回路基板又は回路基板のインタフェースプレートに挿抜用レバーを取付けることがある。挿抜用レバーはてこの原理を利用したものであり、筐体の溝部等に引掛けることにより比較的小さな力で回路基板の挿抜操作を行うことが可能になる。図７Ａ−図７Ｃは従来の挿抜用レバーの一例を示している。挿抜用レバー７０は図７Ａに示すように回路基板７１に対して回動可能に軸支されている。挿抜用レバー７０は、筐体７２の溝部７６に引掛かけられる挿入用引掛片７３と、筐体７２の端部７７に引掛けられる抜去用引掛片７４と、回路基板７１の挿抜操作に用いる操作片７５と、を備えている。
【０００３】
回路基板７１の挿入時には、図７Ｂに示すように挿抜用レバー７０を一旦立上げ、挿入用引掛片７３を筐体７２の溝部７６に引掛け、操作片７５を押込むことにより、回路基板７１を筐体７２内の接続コネクタ（図示せず）に挿入する。回路基板７１の挿入後には、図７Ｃに示すように挿抜用レバー７０が傾倒状態となる。回路基板７１の抜去時には、図７Ｂに示すように挿抜用レバー７０を立上げ、抜去用引掛片７４を筐体７２の端部７７に引掛け、操作片７５を引上げることにより、回路基板７１を筐体７２内の接続コネクタ（図示せず）から抜去する。
【０００４】
斯かる回路基板挿抜技術としては、例えば後述の文献が公知である。特許文献１には、プリント基板が筐体に勢いよく挿入されるのを防止するため、プリント基板が筐体へ挿入される際にレバーを第１姿勢にロックすることが開示されている。
【０００５】
特許文献２には、電子回路基板の抜け止めを行うため、着脱レバーが、電子回路基板面に沿って回動自在に軸支される第一の着脱レバー体と、第一の着脱レバー体に第一の着脱レバー体の回転面に直角な面に沿って回動可能に軸支され、電子回路基板の挿入後に回動されてシェルフに形成された溝部に係合する第二の着脱レバーと、を備えることが開示されている。
【先行技術文献】
【特許文献】
【０００６】
【特許文献１】特開２０１２−９９６７８号公報
【特許文献２】特開平４−７０７８３号公報
【発明の概要】
【発明が解決しようとする課題】
【０００７】
挿抜用レバーは回路基板を筐体内にロックするためのものではないため、振動、衝撃等が伝達される装置、例えば工作機械を制御する数値制御装置等では、回路基板が筐体から外れてしまうことがある。また、回路基板に接続されたケーブル等が意図せずに引っ張られた場合には、挿抜用レバーが簡単に解放して回路基板が筐体から抜けてしまうこともある。
【０００８】
そこで、部品点数を増大させることなく簡単な操作で回路基板の抜けを防止する技術が求められている。
【課題を解決するための手段】
【０００９】
本開示の一態様は、筐体と、筐体に挿抜可能に組付けられる回路基板と、回路基板に対して回動可能に軸支され、筐体に引掛けられて回路基板の挿抜操作を容易にする挿抜用レバーと、回路基板の挿入後に挿抜用レバーと回路基板との間で回路基板の挿抜方向とは異なる方向で引掛かる凹凸部と、を備える、回路基板抜け防止構造を提供する。
【発明の効果】
【００１０】
本開示の一態様によれば、部品点数を増大させることなく簡単な操作で回路基板の抜けを防止できる。
【図面の簡単な説明】
【００１１】
【図１】一実施形態における回路基板抜け防止構造を示す斜視図である。
【図２】一実施形態における回路基板抜け防止構造を示す斜視図である。
【図３】一実施形態における回路基板抜け防止構造を示す背面側斜視図である。
【図４】一実施形態における回路基板抜け防止構造を示すＡ−Ａ断面図である。
【図５】回路基板抜け防止構造を適用した数値制御装置を示す斜視図である。
【図６】インタフェースプレートを示す斜視図である。
【図７Ａ】従来の挿抜用レバーの一例を示す側面図である。
【図７Ｂ】従来の挿抜用レバーの一例を示す側面図である。
【図７Ｃ】従来の挿抜用レバーの一例を示す側面図である。
【発明を実施するための形態】
【００１２】
以下、添付図面を参照して本開示の実施形態を詳細に説明する。各図面において、同一又は類似の構成要素には同一又は類似の符号が付与されている。また、以下に記載する実施形態は、特許請求の範囲に記載される発明の技術的範囲及び用語の意義を限定するものではない。
【００１３】
図１は本実施形態における回路基板抜け防止構造１を示している。回路基板抜け防止構造１は、筐体１０、回路基板１１、挿抜用レバー１２、及び凹凸部１３を備えている。回路基板１１は筐体１０に挿抜可能に組付けられる。回路基板１１の外部コネクタ（図示せず）側にはインタフェースプレート１４が取付けられていてもよい。挿抜用レバー１２は、回路基板１１に対して回動可能に軸支され、筐体１０に引掛けられて回路基板１１の挿抜操作を容易にする。挿抜用レバー１２は、筐体１０の溝部１５に引掛かけられる挿入用引掛片１６と、筐体１０の端部１７に引掛けられる抜去用引掛片１８と、回路基板１１の挿抜操作に用いる操作片１９と、を備えている。
【００１４】
凹凸部１３は挿抜用レバー１２と回路基板１１との間で回路基板１１の挿抜方向Ｚとは異なる方向Ｙで引掛かる。図１に示す方向Ｙは挿抜方向Ｚに対して垂直な方向であるが、これに限定されないことに留意されたい。凹凸部１３は挿抜用レバー１２及びインタフェースプレート１４に形成されており、挿抜用レバー１２に凸部１３ａを備え、インタフェースプレート１４に凹部１３ｂを備えている。但しインタフェースプレート１４の無い実施形態では、凹凸部１３が挿抜用レバー１２及び回路基板１１に形成されてもよく、また凸部１３ａ及び凹部１３ｂが逆の部材に形成されてもよい。
【００１５】
凹凸部１３は凸部１３ａの頂面から連なる傾斜面１３ｃをさらに備えていてもよい。これにより、操作片１９を押込むと同時に凸部１３ａ及び凹部１３ｂが自ずと係合するようになる。図１に示す傾斜面１３ｃは、凸部１３ａに連なっているが、凹部１３ｂに連なる形態でもよい。
【００１６】
図２−図４はロック状態の回路基板抜け防止構造１を示している。回路基板１１の挿入時には、挿抜用レバー１２を倒込むだけで凸部１３ａ及び凹部１３ｂが係合し、回路基板１１の抜けが防止される。斯かる回路基板抜け防止構造１によれば、部品点数を増大させることなく従来と同じ簡単な操作で回路基板１１の抜けを防止することが可能になる。回路基板１１の抜去時には、挿抜用レバー１２を方向Ｙへ撓ませて凸部１３ａ及び凹部１３ｂの係合を解除することにより、ロックが解除される。従って、挿抜用レバー１２は樹脂等の可撓性材料で形成されることが望ましい。
【００１７】
図５は回路基板抜け防止構造１を適用した数値制御装置２０を示している。回路基板抜け防止構造１は、過酷な状況で使用される装置、例えば工作機械、ロボット等を制御する数値制御装置２０に適用されると効果的である。数値制御装置２０は、振動、衝撃等が伝達される制御部２１と、制御部２１の筐体１０に挿抜可能に組付けられる１以上の回路基板１１と、種々の情報を表示する表示部２２と、を備えている。筐体１０は挿抜口１０ａを備えており、回路基板１１は挿抜口１０ａを介して筐体１０に組付けられる。筐体１０は使用状態において挿抜口１０ａが鉛直方向下方を向くように配置され、回路基板１１は使用状態において挿抜方向が鉛直方向となるように配置される。この場合、従来の挿抜用レバーでは、ロック構造が無いため、回路基板１１が筐体１０から外れ易い状態になるが、本例の回路基板抜け防止構造１によれば、回路基板１１の脱落を確実に防止することが可能になる。
【００１８】
図６はインタフェースプレート１４を示している。回路基板１１の外部コネクタ（図示せず）にケーブル（図示せず）が接続された場合、ケーブルが意図せず引っ張られることがある。この場合、従来の挿抜用レバーでは、ロック構造が無いため、回路基板１１が筐体１０から抜け易い状態になるが、本例の回路基板抜け防止構造１によれば、回路基板１１の抜けを確実に防止することが可能になる。なお、インタフェースプレート１４は挿抜口１０ａを閉塞する役目も果しており、回路基板１１を冷却する冷却ファン２３からの送風は挿抜口１０ａから漏出することなく筐体１０の排気口２４へ排出される。
【００１９】
本実施形態によれば、部品点数を増大させることなく簡単な操作で回路基板１１の抜けを防止できる。
【００２０】
本明細書において種々の実施形態について説明したが、本発明は、前述の実施形態に限定されるものではなく、以下の特許請求の範囲に記載された範囲内において種々の変更を行えることを認識されたい。
【符号の説明】
【００２１】
１    回路基板抜け防止構造
１０    筐体
１０ａ    挿抜口
１１    回路基板
１２    挿抜用レバー
１３    凹凸部
１３ａ    凸部
１３ｂ    凹部
１３ｃ    傾斜面
１４    インタフェースプレート
１５    溝部
１６    挿入用引掛片
１７    端部
１８    抜去用引掛片
１９    操作片
２０    数値制御装置
２１    制御部
２２    表示部
２３    冷却ファン
２４    排気口
【図１】
2020155741.tif 000003
【図２】
2020155741.tif 000004
【図３】
2020155741.tif 000005
【図４】
2020155741.tif 000006
【図５】
2020155741.tif 000007
【図６】
2020155741.tif 000008
【図７Ａ】
2020155741.tif 000009
【図７Ｂ】
2020155741.tif 000010
【図７Ｃ】
2020155741.tif 000011